(57)【要約】      （修正有）【課題】指針本体と文字板との間隙から光漏れを抑制できる指針照明装置を提供する。【解決手段】指針照明装置１０は、文字板１３を支持するケース１１と、文字板１３を貫通して回転可能な回転軸部材２１と、回転軸部材２１を取り囲む筒状の導光体３２と、導光体３２の下面側に設けられ導光体３２に光を供給する光源３１と、回転軸部材２１の上方側に支持され導光体３２の上端面からの光を受容する光受容面を有する透光性の指針本体３３と、指針本体３３に支持され導光体側に向けて筒状に延在する外側遮光壁２３ｗと、ケース１１に支持され外側遮光壁２３ｗの内側において指針本体側に向けて筒状に延在する内側遮光壁４１と、内側遮光壁４１の径方向外面上に設けられたフランジ部４２とを備え、フランジ部４２は、文字板１３の上面上に位置し、フランジ部４２の上面の少なくとも一部の領域は、上方側からの光を内方側へ反射させる反射部を有する。【選択図】図２
2018017523.tif 000002
【特許請求の範囲】
【請求項１】
文字板を支持するケースと、
前記文字板を貫通する、回転可能な回転軸部材と、
前記回転軸部材を取り囲むように設けられた導光体と、
前記導光体に光を供給する光源と、
前記回転軸部材の上方側に支持され、前記導光体からの光を受容する光受容面を有する透光性の指針本体と、
前記指針本体に支持され、前記導光体側に向けて筒状に延在する外側遮光壁と、
前記ケースに支持され、前記外側遮光壁の内側において、前記指針本体側に向けて筒状に延在する内側遮光壁と、
前記内側遮光壁の径方向外面上に設けられたフランジ部と、
を備え、
前記フランジ部は、前記文字板の上面上に位置しており、
前記フランジ部の上面の少なくとも一部の領域は、上方側からの光を内方側へ反射させる反射部を有している
ことを特徴とする指針照明装置。
【請求項２】
前記内側遮光壁は、単一の壁である
ことを特徴とする請求項１に記載の指針照明装置。
【請求項３】
前記反射部は、上方側からの光を内方側へ反射させる複数の同心の切頭円錐面を有している
ことを特徴とする請求項１または２に記載の指針照明装置。
【請求項４】
前記複数の同心の切頭円錐面の傾斜角度が、内周側においてより小さい
ことを特徴とする請求項３に記載の指針照明装置。
【請求項５】
前記複数の同心の切頭円錐面の高さ位置が、内周側においてより深い
ことを特徴とする請求項３に記載の指針照明装置。
【発明の詳細な説明】
【技術分野】
【０００１】
本発明は、例えば車両用計器に採用される指針照明装置に関する。
【背景技術】
【０００２】
従来より、文字板上で回転する指針本体を透光性のある材料で形成し、ＬＥＤなどの光源からの光を導光体によって導いて当該指針本体を光らせるという指針照明装置が、実用化されている。
【０００３】
この種の指針照明装置にあっては、指針本体を回転させる回転軸部材の上方（前方）及びその周囲が、遮光性部材からなる指針キャップで覆われることが一般的である。これによって、基本的には、光漏れは抑えられている。
【０００４】
しかしながら、指針キャップと文字板との間の間隙から、若干の光漏れが生じることがある。
【０００５】
そこで、例えば特許文献１による指針照明装置１００では、図７に示すように、筒状の導光体１０５の外周側上部に、指針本体１１０側に延長する筒状の遮光部材１０８を設け、この遮光部材１０８の同心の２重の上方側周壁部１８３、１８４と指針キャップ１１１とを径方向に重複させることによって光の通路を迷路状にし、それによって指針キャップ１１１と文字板１０２との間の間隙Ｓからの光漏れを抑制している。
【先行技術文献】
【特許文献】
【０００６】
【特許文献１】特開２００５−１５６４５４
【特許文献２】特許第３３０５２９７号
【発明の概要】
【発明が解決しようとする課題】
【０００７】
しかしながら、図７のような構成を採用して光漏れを抑制するためには、上方側周壁部１８３、１８４と指針キャップ１１１との重複高さを十分に確保する必要があった。このため、指針本体１１０の回転のための文字板１０２に対するクリアランスを、十分に確保することが困難であるという問題があった。
【０００８】
また、図７のように上方側周壁部を二重（複数）径方向に並べて配置する構成では、これらを指針キャップに収めるために指針キャップ自体の径方向寸法が大きくなってしまい、意匠性が低下するという問題があった。
【０００９】
これに対して、例えば特許文献２には、一つの上方側周壁部を設け回転中心領域の背面側に漏光防止部を設けることで径方向の拡大を防止しながら光漏れを防止する構成が開示されている。しかしながら、特許文献２の構成では、透光部を設ける必要のある回転中心領域に漏光防止部を設ける構成のため、透光と光漏れという相反する目的を同一箇所にて達成させることはレイアウト都合上困難である。また、特許文献２の構成は、導光体から放射された光が直ちに漏光防止部に達するため高い輝度の光が分散しやすく、効果的に光漏れを防止できない可能性があった。
【００１０】
本発明は、以上の知見に基づいて創案されたものである。本発明の目的は、指針本体の回転のための文字板に対するクリアランスを十分に確保した場合であっても、径方向寸法の拡大を防止しながら指針本体と文字板との間の間隙からの光漏れを十分に抑制できるような指針照明装置を提供することである。
【課題を解決するための手段】
【００１１】
本発明は、文字板を支持するケースと、前記文字板を貫通する、回転可能な回転軸部材と、前記回転軸部材を取り囲むように設けられた導光体と、前記導光体に光を供給する光源と、前記回転軸部材の上方側に支持され、前記導光体からの光を受容する光受容面を有する透光性の指針本体と、前記指針本体に支持され、前記導光体側に向けて筒状に延在する外側遮光壁と、前記ケースに支持され、前記外側遮光壁の内側において、前記指針本体側に向けて筒状に延在する内側遮光壁と、前記内側遮光壁の径方向外面上に設けられたフランジ部と、を備え、前記フランジ部は、前記文字板の上面上に位置しており、前記フランジ部の上面の少なくとも一部の領域は、上方側からの光を内方側へ反射させる反射部を有していることを特徴とする指針照明装置である。
【００１２】
本発明によれば、フランジ部の上面の少なくとも一部の領域が、上方側からの光を内方側へ反射させる反射部を有していることにより、指針本体の回転のための文字板に対するクリアランスを十分に確保した場合であっても、内側遮光壁と外側遮光壁との間からの光漏れを十分に抑制することができる。
【００１３】
更に、本発明によれば、上面に反射部を有するフランジ部が、文字板の上面上に位置している。これにより、特許文献２の構成のように導光体からのダイレクトな強い光を直接反射するのではなく、一度反射して（跳ね返って）減衰した光を反射部が反射する（跳ね返す）ため、より強い光を散らす特許文献２と比較して、光をコントロールしやすく効果的に光漏れを防止することができる。つまり、光の発生源に対して光路上遠い場所に反射部を有するフランジ部を設けているため、光漏れを防止する効果がより大きい。
【００１４】
好ましくは、前記内側遮光壁は、単一の壁である。この場合、内側遮光壁が二重の壁である場合と比較して、径方向寸法を小さくすることができる。
【００１５】
また、好ましくは、前記フランジ部の上面の少なくとも外周側の領域は、上方側からの光を内方側へ反射させる複数の同心の切頭円錐面を有している。
【００１６】
また、好ましくは、前記複数の同心の切頭円錐面の傾斜角度が、内周側においてより小さい。この場合、より効果的に光をコントロールできる。
【００１７】
また、好ましくは、前記複数の同心の切頭円錐面の高さ位置が、内周側においてより深い。この場合、より効果的に光をコントロールできる。
【図面の簡単な説明】
【００１８】
【図１】本発明の一実施形態に係る指針照明装置の概略断面図である。
【図２】図１の回転軸部分の拡大図である。
【図３】図１の指針照明装置のフランジ部の上面の変形例を示す概略断面図である。
【図４】図１の指針照明装置のフランジ部の上面の他の変形例を示す概略断面図である。
【図５】図１の指針照明装置のフランジ部の上面の更に他の変形例を示す概略断面図である。
【図６】図１の指針照明装置のフランジ部の上面の更に他の変形例を示す概略断面図である。
【図７】従来の指針照明装置の回転軸部分の拡大図である（特許文献１の図２に基づく）。
【発明を実施するための形態】
【００１９】
以下、図面を参照して、本発明の実施形態について説明する。  
【００２０】
図１は、本発明の一実施形態に係る指針照明装置１０の概略断面図であり、図２は、図１の回転軸部分の拡大図である。
【００２１】
図１及び図２に示すように、本実施形態の指針照明装置１０は、車両用のタコメータとして構成されており、略円盤トレイ形のケース１１を備えている。ケース１１は、中央部に貫通孔１１ａを有している。
【００２２】
また、図１に示すように、ケース１１の外周側には、略円形の主目盛部材１６とリング部材１７とが設けられている。
【００２３】
また、図１及び図２に示すように、自身の軸線回りに回転可能な回転軸部材２１が、ケース１１の貫通孔１１ａ、表示部文字板１３の貫通孔、微細導光体１４の貫通孔及びスモーク文字板１５の貫通孔を貫通して延びている。
【００２４】
そして、図１及び図２に示すように、ケース１１の貫通孔１１ａ内において、回転軸部材２１の回転を妨げないように十分な間隙を空けつつ当該回転軸部材２１を取り囲むように、略円筒状の導光体３２が設けられている。
【００２５】
また、図１及び図２に示すように、導光体３２の下面側に、導光体３２に光を供給するためのＬＥＤ光源３１が設けられている。ＬＥＤ光源３１は、周方向に１２０°おきに３個が配置されている。
【００２６】
また、図１及び図２に示すように、回転軸部材２１の上方側に、指針支持部材２２を介して、指針本体３３が支持されている。指針本体３３は、透光性の材料からなり、回転軸部材２１の軸方向に対して略垂直な方向に延在すると共に、導光体３２の上端面３２ｕからの光を受容する光受容面３３ｒを有している。
【００２７】
また、図１及び図２に示すように、指針支持部材２２と、指針本体３３に支持された指針キャップ２３とに、導光体３２側に向けて筒状に延在する外側遮光壁２２ｗ、２３ｗが設けられている。
【００２８】
また、図１及び図２に示すように、外側遮光壁２２ｗ、２３ｗの内側において、指針本体３３側に向けて略円筒状に延在する内側遮光壁４１を提供する遮光部材４０が、ケース１１に支持されている。
【００２９】
また、図１及び図２に示すように、遮光部材４０は、内側遮光壁４１の径方向外面上に設けられたフランジ部４２を有している。そして、フランジ部４２の上面は、上方側からの光を内方側へ反射させる形状を有している。
【００３０】
具体的には、本実施形態のフランジ部４２の上面は、上方側からの光を内方側へ反射させる４つの同心の切頭円錐面（断面では傾斜面）と、各切頭円錐面同士を接続する円筒面（断面では直立面）と、を有しており、全体としてギザギザ状の断面を呈している。本実施形態の４つの同心の切頭円錐面は、互いに同一の幅（径方向長さ）を有している。
【００３１】
なお、図１及び図２に示すように、ケース１１は、指針本体３３に対して導光体３２側において延在するスモーク文字板１５を支持していて、フランジ部４２は、スモーク文字板１５の上面上に位置している。
【００３２】
以上のような本実施形態の指針照明装置１０によれば、フランジ部４２の上面が、上方側からの光を内方側へ反射させる４つの同心の切頭円錐面を有していることにより、指針本体３３の回転のためのスモーク文字板１５に対するクリアランス（高さｅ）を十分に確保した場合であっても、内側遮光壁４１と外側遮光壁２２ｗ、２３ｗとの間からの光漏れを十分に抑制することができる。
【００３３】
また、本実施形態の指針照明装置１０によれば、光漏れを防止するために複数の内側遮光壁を重複させることなく、単一の内側遮光壁とフランジ上部の反射形状により効果的に光漏れを防止することができるため、複数の内側遮光壁を重複させる構成に対して、径方向においてコンパクトに構成できる。このため、それらを収めるキャップの径も小さく構成することができ、意匠性が向上する。
【００３４】
なお、以上の実施形態では、フランジ部４２の上面の全体が、上方側からの光を内方側へ反射させる形状を有していたが、本発明は当該態様に限定されず、フランジ部４２の上面の外周側の領域が、上方側からの光を内方側へ反射させる形状を有していれば足りる。例えば、フランジ部４２の上面の内周側の領域は、従来通りの平坦面であってもよい。
【００３５】
また、以上の実施形態では、４つの同心の切頭円錐面の断面の傾斜角度が、全て４５°であったが、本発明は当該態様に限定されず、図３に示すように、内周側においてより小さくなっていてもよい。このように構成することで、光が当たった際に外部に漏れる可能性の高い外周側の傾斜角度ほど内周側に光が反射するように角度が大きくなっていることから、より外部に光が漏れないように構成されるとともに、内周側は角度を浅くすることで再度外側遮光面の内周側側壁や光受容面に反射させることで効果的に光漏れを防止することができる。また、この場合も、図４に示すように、最も内側の領域が平坦面となっていてもよい（この場合、切頭円錐面の数は３つになる）。
【００３６】
また、以上の実施形態では、４つの同心の切頭円錐面は、それらの高さ位置が互いに揃っていた（同一であった）が、本発明は当該態様に限定されず、図５に示すように、内周側においてより深くなっていてもよい。このように構成することで、光が当たった際に外部に漏れる可能性の高い外周側ほど高さが浅くなっているのでより内周側に光が反射することから、より外部に光が漏れないように構成されるとともに、内周側は高さを低くすることで再度外側遮光面の内周側側壁や光受容面に反射させることで効果的に光漏れを防止することができる。また、この場合も、図６に示すように、最も内側の領域が平坦面となっていてもよい（この場合、切頭円錐面の数は３つになる）。
【００３７】
また、以上の実施形態では、上方側からの光を内方側へ反射させる形状として切頭円錐面を採用しているが、本発明は当該態様に限定されず、例えばフランジ部の上面は、切頭多角錐面と、各切頭多角錐面同士を接続する多角柱面（断面では直立面）と、を有していてもよい。
【符号の説明】
【００３８】
１０  指針照明装置
１１  ケース
１１ａ  貫通孔
１２  表示部導光体
１３  表示部文字板
１４  微細導光体
１５  スモーク文字板
１６  主目盛
１７  リング
２１  回転軸部材
２２  指針支持部材
２２ｗ  外側遮光壁
２３  指針キャップ
２３ｗ  外側遮光壁
３１  ＬＥＤ光源
３２  筒状の導光体
３３  指針本体
４０  遮光部材
４１  内側遮光壁
４２  フランジ部
１００  従来の指針照明装置
１０２  文字板
１０５  導光体
１０８  遮光部材
１１０  指針本体
１１１  指針キャップ
１８３  第１の上方側周壁部
１８４  第２の上方側周壁部
【図１】
2018017523.tif 000003
【図２】
2018017523.tif 000004
【図３】
2018017523.tif 000005
【図４】
2018017523.tif 000006
【図５】
2018017523.tif 000007
【図６】
2018017523.tif 000008
【図７】
2018017523.tif 000009